(57)【要約】【課題】  内部照明式標識の逆光対策を充分に行い、軽量で丈夫な上に標識の視認性を均一化できる内部照明式標識を提供する。【解決手段】  アルミ製枠材からなる標識本体及び枠体と、標識本体に設けた縦横の補強材とを有し、枠体前面には繊維シートからなる表示母材を有し、標識本体裏面には、表示母材と同様の繊維シートからなる光透過性の裏板を有し、標識本体内部の横補強材には多数の内部照明装置が設けられ、標識に対する太陽光の逆光時に、当該逆光線が裏板及び表示母材の繊維シートを透過可能である内部照明式標識の構造。【選択図】図１
2010112029.tif 000002
【特許請求の範囲】
【請求項１】
内部照明式標識の構造であって、アルミ製枠材からなる標識本体及び枠体と、標識本体に設けた縦横の補強材とを有し、前記枠体前面には繊維シートからなる表示母材を有し、前記標識本体裏面には、前記表示母材と同様の繊維シートからなる光透過性の裏板を有し、標識本体内部の横補強材には多数の内部照明装置が設けられ、標識に対する太陽光の逆光時に、当該逆光線が裏板及び表示母材の繊維シートを透過可能であることを特徴とする内部照明式標識の構造。
【請求項２】
請求項１記載の内部照明式標識の構造であって、上記表示母材は、前記標識本体の縦補強材の先端に設けた多数の展張金具により張設されていることを特徴とする内部照明式標識の構造。
【請求項３】
請求項１又は２記載の内部照明式標識の構造であって、上記標識本体に設けた繊維シート製裏板は、標識本体後面に多数のビスで張設されていることを特徴とする内部照明式標識の構造。
【発明の詳細な説明】
【技術分野】
【０００１】
この発明は、内部照明手段を有する道路標示等の表示手段に関するものであり、特に、表示面母材及び照明装置の裏板に繊維シートを用い、昼と夜のイメージが同等になるとともに、逆光対策が可能な内部照明式標識を提供するものである。
【背景技術】
【０００２】
従来より道路標識等において、内部に照明手段を有する枠体の表面に透明強化プラスチック板を設け、この標示面に文字や矢印、記号等の反射材を施した道路標識は知られている。
このような内部照明標識によれば、夜間においても標識表面の表示を明確に認識することができる。
【０００３】
このような道路標識は、例えば特許第３４６８５０６号明細書に開示されている。この発明にあっては、枠体の表面側に透明の強化プラスチック板を設け、この表面に素地の反射材及び文字等の反射材を用いて表示部が構成されている。
また、枠体の裏面には半透明乳白色の強化プラスチック板を設け、道路標識の裏側より太陽光を受けた場合に、その太陽光の一部を半透明プラスチック板を通して表示部を通過させることにより、逆光時においても標識部分がよく見えるようにしたものである。
【０００４】
その他、照明装置に例えば光拡散用ガラス繊維シートを用い、光源からの光を適度に拡散させる技術（特開２００１−５５６４６号公報参照）や、例えばポリエステルの繊維層からなる繊維シートの表示母材と逆光線を部分透過する光散乱粒子混入板とを用い、このような表示面母材に任意の文字、記号等の反射材による表示体を施す技術（特開２００２−３１７４１１号公報参照）が知られている。
【０００５】
しかしながら、これら従来公知の標識手段にあっては、特に大型の道路標識のごとく内部に照明手段を有し、昼間の自然光による標識の視認性と夜間の内部照明手段による標識の視認性に加えて、標識の逆光時における視認性を同時に向上することが困難であった。
また、大型の道路標識等において装置の重量を軽減し、相対的に強度を増すための構成が困難であった。
【特許文献１】特許第３４６８５０６号公報
【特許文献２】特開２００２−３１７４１１号公報
【特許文献３】特開２００１−５５６４６号公報
【発明の開示】
【発明が解決しようとする課題】
【０００６】
この発明は、上記の問題的を解決し、内部照明式の逆光対策を充分に行い、軽量で丈夫な上に標識の視認性を均一化できる内部照明式標識を提供するものである。
【課題を解決するための手段】
【０００７】
内部照明式標識の構造であって、アルミ製枠材からなる標識本体及び枠体と、標識本体に設けた縦横の補強材とを有し、前記枠体前面には繊維シートからなる表示母材を有し、前記標識本体裏面には、前記表示母材と同様の繊維シートからなる光透過性の裏板を有し、標識本体内部の横補強材には多数の内部照明装置が設けられ、標識に対する太陽光の逆光時に、当該逆光線が裏板及び表示母材の繊維シートを透過可能であることを特徴とする。
【発明の効果】
【０００８】
この発明の内部照明式標識によれば、大型で軽量かつ強固な標識を作成できる効果を奏する。
また、表示母材である前面板と逆光透過用裏板とを同一の繊維シートにより作成することにより逆光対策の十分な内部照明式標識を得ることができた。
【発明を実施するための最良の形態】
【０００９】
この発明の実施形態を図１〜図６により説明する。
図１は、この発明の内部照明式標識１０の内部構造概略を示しており、図２は支持部を含む内部照明式標識１０の平面図である。
内部照明式標識１０の標識本体１１は、図１に示すように枠体１２（図２）及び内部補強材１３，１４を有しており、該内部補強材は標識本体１１のなるべく後方部において、縦補強材１３〜１３及び横補強材１４〜１４としてそれぞれ複数本設けられている。
【００１０】
上記標識本体１１内には、横補強材１４〜１４によって多数の内部照明灯装置が支持されている。これらの照明灯装置は一般的に蛍光灯であって、この実施例においては通常照明用蛍光灯装置２０〜２０は、４０Ｗの蛍光灯２０Ｌ（図５、６参照）を５本及び、同じく通常照明用蛍光灯装置２１の２０Ｗ蛍光灯２１Ｌを５本設けると共に、非常時用蛍光灯装置２２は４０Ｗの蛍光灯を１本及び同じく非常時用蛍光灯装置２３の２０Ｗ蛍光灯を１本、それぞれ設置している。
【００１１】
図２は、上記内部照明標識１０の平面図であって、標識本体１１及び枠体１２からなる内部照明標識１０は、任意の支柱等に支持された懸架手段Ｐ，Ｐの端部に固定手段１５，１５により固定金具１６，１６を介して懸架固定されている。
なお、これらの固定手段１５，１５は一般的なＵボルトを使用することができる。
【００１２】
図３は、上記内部照明式標識１０を懸架手段Ｐ，ＰにＵボルト（固定手段）１５，１５で懸架固定した状態の右側面図であって、標識本体１１の裏面に固定された取付金具１６，１６部をＵボルト１５，１５により懸架手段Ｐ，Ｐに懸架固定されている。
また、標識本体１１の前方には図１に示す枠体１２が結合され、これらの標識本体１１及び枠体１２等はアルミフレームで構成されている。
【００１３】
図４は、上記図１に示す標識本体１１及び枠体１２からなる内部照明標識１０の上部縦断面であるＡ−Ａ断面図であって、枠体１２の前面には表示母材となる前面板１８が、標識本体１１の後面には裏板１９が、それぞれ装着されている。
【００１４】
このような内部照明標識において、複数の縦補強部材１３〜１３の上端部及び下端部には、複数のブラケット１７（〜１７）が固定されるとともに、その前方端１７Ａ（〜１７Ａ）に、それ自体は公知の展張金具Ｔ（〜Ｔ）が取り付けられている。そして、図に符号１８で示す前面板が上記枠体１２の上下部に装着された多数の展張金具Ｔ〜Ｔにより張設される。
【００１５】
前面板１８は繊維シートにより構成され、当該繊維シートを表示母材とするとともに、その表面には従来公知の手法によって種々の文字、記号等の標識表示が施されるものである。従って、前面板１８である繊維シートによって軽量で丈夫な表示面を得るとともに、内部照明手段によって夜間でも明瞭な標識を得ることができる。
【００１６】
裏板１９は前記前面板１８と同様の繊維シートによって構成され、前記アルミフレーム製標識本体１１の裏面全体にビス等で貼設されている。そして、この繊維シート製の裏板１９が、内部照明標識１０の裏側から照射される太陽光の一部を透過し、更にこの透過光は、同様の繊維シートからなる前面板１８をも透過するものである。
【００１７】
図５は、上記図１に示す標識本体１１及び枠体１２からなる内部照明式標識１０の下部縦断面であるＢ−Ｂ断面を示している。
この発明における内部照明の通常光源は、上記の蛍光灯装置２０〜２３であるが、この図においては蛍光灯装置２０が示されており、電源装置を含む支持台２０Ｂ及び蛍光灯ランプ２０Ｌが上記複数本の横補強部材１４〜１４に支持固定されている。
【００１８】
同図には上記図４に示すものと同様のブラケット１７が示されており、当該ブラケットは縦補強材１３が下方端に固定されるとともに、その先端部に表示母材である繊維シート製前面板のための展張金具が装着されるが、図には記載されていない。
なお、図中の符号１４は図１に明らかな横補強材の一部を示している。
【００１９】
図６は、図１に示す蛍光灯装置２０（２１〜２３）の側面を示している。
図のランプ支持台２０Ｂ（２２Ｂ）には電源装置等が組み込まれており、蛍光灯ランプ２０Ｌ（２２Ｌ又は２１Ｌ，２３Ｌ）が着脱可能である。そして、これらの蛍光灯装置２０〜２３は、図１に示すように複数の横補強材１４〜１４にビス等で固定されている。
【００２０】
上記の実施形態によれば、大型の内部照明式標識を軽量かつ強固に作成できるとともに、標識後方からの太陽光（逆光）も、表示面である前面板と同一の繊維シートを用いて任意の透過率を選択することにより、作成することができた。
これにより、大型の内部照明式標識における逆光対策が容易となった。
【図面の簡単な説明】
【００２１】
【図１】本発明の内部照明式標識の内部を示す正面図である。
【図２】内部照明式標識の設置状態平面図である。
【図３】内部照明式標識の設置状態の右側面図である。
【図４】図１におけるＡ−Ａ断面図である。
【図５】図１におけるＢ−Ｂ断面図である。
【図６】図１に示す蛍光灯装置の側面図である。
【符号の説明】
【００２２】
１０  内部照明式標識
１１  標識本体
１２  枠体
１３  縦補強材
１４  横補強材
１５  Ｕボルト
１６  固定金具
１７  ブラケット
１８  前面板
１９  裏板
２０、２１  通常照明用蛍光灯装置
２０Ｂ  蛍光灯支持台
２０Ｌ、２１Ｌ  蛍光灯
２２、２３  非常時用蛍光灯装置
Ｐ  懸架手段
Ｔ  展張金具
【図１】
2010112029.tif 000003
【図２】
2010112029.tif 000004
【図３】
2010112029.tif 000005
【図４】
2010112029.tif 000006
【図５】
2010112029.tif 000007
【図６】
2010112029.tif 000008